(57)【要約】【課題】漏電検出回路の出力部とトリップコイルのリード線との配線接続部を保護するための作業を簡素化する。【解決手段】漏電を検出してトリップ信号を出力する漏電検出回路と、トリップ信号により駆動されるトリップコイルとを備えた漏電遮断器において、漏電検出回路の出力部とトリップコイルのリード線との配線接続部１０に、互いに嵌り合う一対の蓋体１２,１３からなる絶縁物の保護カバー１４を被着する。保護カバー１４は蓋体１２,１３同士を嵌め合わせて簡単に被着することができるので、配線接続部１０の保護作業が簡素化され、組立工数が大幅に削減されるとともに、作業ムラがなくなり製品品質が向上する。【選択図】  図１
2007005010.tif 000002
【特許請求の範囲】
【請求項１】
漏電を検出してトリップ信号を出力する漏電検出回路と、前記トリップ信号により駆動されるトリップコイルとを備えた漏電遮断器において、
前記漏電検出回路の出力部と前記トリップコイルのリード線との配線接続部に、互いに嵌り合う一対の蓋体からなる絶縁物の保護カバーを被着したことを特徴とする漏電遮断器。
【請求項２】
前記保護カバーの前記出力部及びリード線との接触面に、パッキンを設けたことを特徴とする請求項１記載の漏電遮断器。
【発明の詳細な説明】
【技術分野】
【０００１】
この発明は、漏電を検出して電路を開路する漏電遮断器に関し、特に内部回路の配線接続部の保護に関する。
【背景技術】
【０００２】
漏電遮断器は一般に、零相変流器を介して主回路の漏電電流を検出し、漏電電流が所定値を超えるとトリップ信号を出力する漏電検出回路と、この漏電検出回路のトリップ信号により駆動されるトリップコイルとを備え、トリップコイルが駆動されると開閉機構が引き外されて電路が開路されるようになっている。このような漏電遮断器については、例えば特許文献１に記載されている。
【特許文献１】特開平１１−２１３８４９号公報
【発明の開示】
【発明が解決しようとする課題】
【０００３】
図９〜図１３はこのような従来の漏電遮断器を示すもので、図９は漏電検出回路の出力部とトリップコイルのリード線との配線接続部を示す漏電遮断器の斜視図、図１０はこの配線接続部を折り曲げた状態の図、図１１は図１０のＰ部の拡大図、図１２は図１０のトリップコイルユニットカバーを閉じた状態の図、図１３は図９におけるトリップコイルユニットを取り出して示した拡大斜視図である。まず図９において、漏電遮断器は本体１とカバー２とからなるモールドケースにより一体構成され、一端に電源側端子部３を有し、他端に負荷側端子部４を有するとともに、正面中央に操作ハンドル５を備えている。
【０００４】
モールドケースのカバー２には操作ハンドル５の横位置にトリップコイルユニット６が保持され、このトリップコイルユニット６は、カバー２にヒンジ支持されたトリップコイルユニットカバー７により図１２に示すように覆われる。図１３に示すトリップコイルユニット６は、内蔵するトリップコイル８の駆動により操作力を生じる機構ユニットで、トリップコイル８の一対のリード線８ａが側方に導出されている。一方、図９において、漏電検出回路を搭載した図示しないプリント配線板がモールドケースの本体１に取り付けられ、この漏電検出回路の出力部となるフレキシブル基板９が、リード線８ａの図９の上方に重なるように突出している。
【０００５】
本体１に装着されたトリップコイルユニット６は、トリップコイル８のリード線８ａがフレキシブル基板９のスルーホールに下方から差し込まれて半田付けされる。リード線８ａが接続された後、フレキシブル基板９は、図１０及び図１１に示すように下向きに直角に折り曲げられ、トリップコイルユニット６とカバー２の側壁との間の隙間に収納される。
【０００６】
ここで、漏電遮断器が短絡遮断した場合、遮断ガスや導電性の煤がリード線８ａとフレキシブル基板９との接続部分１０に付着する可能性があり、その場合にはリード線８ａ間が短絡する危険がある。また、外気温が急激に変化した場合にも、配線接続部１０に結露が生じてリード線８ａ間が短絡する危険がある。そのため、従来は図１１に示すように、配線接続部１０にシリコン樹脂などのコーティング材１１を塗布し、配線接続部１０を遮断ガスや結露等から保護している。
【０００７】
その場合、コーティング材１１の塗布は、筆や刷毛による手作業で行っているが、気泡が発生しやすいので数回にわたり重ね塗りをしなければならない。そのため、塗布から乾燥・硬化までに多大の時間を要し、組立工数削減の妨げとなっている。また、手作業のため塗りムラが発生しやすく、作業品質の維持が困難である。製造コストの低減のためには組立工数の削減が必須であるが、その一方で漏電遮断器の性能や信頼性に対する要求も厳しくなっている。
【０００８】
この発明は、このような状況に対処するためになされたもので、漏電遮断器の内部回路の配線接続部分、なかんずく漏電検出回路の出力部とトリップコイルのリード線との配線接続部を保護するための作業を簡素化するとともに、製品品質を高めることを課題とするものである。
【課題を解決するための手段】
【０００９】
上記課題を解決するために、請求項１の発明は、漏電を検出してトリップ信号を出力する漏電検出回路と、前記トリップ信号により駆動されるトリップコイルとを備えた漏電遮断器において、前記漏電検出回路の出力部と前記トリップコイルのリード線との配線接続部に、互いに嵌り合う一対の蓋体からなる絶縁物の保護カバーを被着するものとする。
【００１０】
また、請求項２の発明は、請求項１の発明において、前記保護カバーの前記出力部及びリード線との接触面に、パッキンを設けるものとする。
【発明の効果】
【００１１】
請求項１の発明によれば、保護カバーは内部配線の配線接続部に蓋体同士を嵌め合わせて簡単に被着することができるので、配線接続部の保護作業がコーティング剤の塗布に比べて格段に簡素化され組立工数が大幅に削減されるとともに、作業ムラがなくなり製品品質が向上する。また、請求項２の発明によれば、パッキンにより保護カバーの内部の気密性が高まり、配線接続部への遮断ガスや湿気の侵入がより確実に阻止される。
【発明を実施するための最良の形態】
【００１２】
以下、図１〜図８に基づいて、従来例で示した漏電遮断器におけるこの発明の実施の形態を説明する。ここで、図１は漏電遮断器の配線接続部とともに示した保護カバーの分解斜視図、図２は図１における漏電遮断器の配線接続部に保護カバーを被着した状態の斜視図、図３は図１における保護カバーを分解して内部を示した拡大平面図、図４は図３の斜視図、図５は図２の平面図、図６は図５のVI−VI線に沿う拡大断面図、図７はこの発明の異なる実施の形態を示す保護カバーの分解斜視図、図８は図７の保護カバーを配線接続部に被着した状態の斜視図である。なお、従来例と対応する部分には同一の符号を用いるものとする。
【００１３】
さて、図１において、配線接続部１０は従来例と同じで、トリップコイルユニット６におけるトリップコイル８のリード線８ａ（図１３参照）と漏電検出回路のフレキシブル基板９とは半田付けで接続されている。しかして、配線接続部１０には、一対の蓋体１２及び１３からなる絶縁物の保護カバー１４が被着され遮断ガスなどの有害ガスから保護される。
【００１４】
蓋体１２,１３はＰＢＴ樹脂、ナイロン樹脂などを用いて成型され、図３及び図４に示すように、いずれも三方が配線接続部１０の輪郭に沿う周壁で囲まれ、一方が開口した偏平な箱状に形成されている。蓋体１３は蓋体１２より一回り小さく、蓋体１２に嵌め込まれる。一方、蓋体１２には、蓋体１３と嵌合する溝１２ａを形成するための壁１２ｂが周壁に沿うように設けられ、かつ周壁の端部は溝１２ａの端面を閉じるように内側にＬ字状に曲げられている。蓋体１２,１３の開口部には、それぞれスポンジ状のパッキン１５及び１６が接着により取り付けられている。
【００１５】
保護カバー１４は、図１に示すように蓋体１２,１３で配線接続部１０を上下から挟み、蓋体１３の周壁を蓋体１２の溝１２ａに組み合わせて圧入することにより、図２に示すように配線接続部１０に被せる。その際、パッキン１５,１６は配線接続部１０におけるリード線８ａとフレキシブル基板９の首部を弾性的に把持し、保護カバー１４の内部を外気から遮断する。図６は、このような保護カバー１４の被着状態を断面図で示している。保護カバー１４が被着された配線接続部１０は従来と同様に下向きに直角に折り曲げられ（図１１参照）、トリップコイルユニット６とカバー２の側壁との間の隙間に収納される。
【００１６】
図示実施の形態において、保護カバー１４は蓋体１２,１３を配線接続部１０の両面から嵌め合わせるだけであるため作業がきわめて簡単であり、かつ事後の乾燥・固化等の工程も不要である。また、作業が簡単であることから作業ムラによる品質のバラツキがなく、かつ配線接続部１０は蓋体１２,１３及びパッキン１５,１６で完全に覆われるため有害ガスなどからの保護性能も高い。
【００１７】
図７及び図８は、コネクタ接続による内部配線接続部に用いる保護カバーの実施の形態を示すものである。例えば、漏電遮断器の漏電感度や動作時間の切換スイッチ回路において、リード線１７及び１８は、プラグ１９ａとソケット１９ｂとからなるコネクタ１９により相互接続される。保護カバー２０はこの配線接続部２１に被着され、互いに嵌り合う一対の蓋体２２及び２３からなっている。保護カバー２０はリード線１７,１８を把持するように両端に周壁開口を有し、その各々にパッキン２４〜２７が設けられている点を除いて、先に示した保護カバー１４と実質的に同じ構造であり詳細な説明は省略する。蓋体２２及び２３は互いに嵌め合わされることにより、図８に示すように配線接続部２１を覆う。
【図面の簡単な説明】
【００１８】
【図１】この発明の実施の形態を示す保護カバーを漏電遮断器とともに示した分解斜視図である。
【図２】図１の保護カバーを被着した状態の漏電遮断器の斜視図である。
【図３】図１における保護カバーを分解して内部を示した拡大平面図である。
【図４】図３の斜視図である。
【図５】図２の平面図である。
【図６】図５のVI−VI線に沿う断面図である。
【図７】この発明の異なる実施の形態の形態を示す保護カバーの分解斜視図である。
【図８】図７の保護カバーを配線接続部に被着した状態の斜視図である。
【図９】従来の漏電遮断器の配線接続部を示す漏電遮断器の斜視図である。
【図１０】図９における配線接続部を折り曲げた状態の図である。
【図１１】図１０のＰ部の拡大図である。
【図１２】図１０におけるトリップコイルユニットカバーを閉じた状態の図である。
【図１３】図９におけるトリップコイルユニットを取り出して示した拡大斜視図である。
【符号の説明】
【００１９】
６    トリップコイルユニット
８    トリップコイル
１０    配線接続部
１２    蓋体
１３    蓋体
１４    保護カバー
１５    パッキン
１６    パッキン
１９    コネクタ
２０    保護カバー
２１    配線接続部
【図１】
2007005010.tif 000003
【図２】
2007005010.tif 000004
【図３】
2007005010.tif 000005
【図４】
2007005010.tif 000006
【図５】
2007005010.tif 000007
【図６】
2007005010.tif 000008
【図７】
2007005010.tif 000009
【図８】
2007005010.tif 000010
【図９】
2007005010.tif 000011
【図１０】
2007005010.tif 000012
【図１１】
2007005010.tif 000013
【図１２】
2007005010.tif 000014
【図１３】
2007005010.tif 000015